(57)【要約】【課題】従来の犬等の糞の糞取具は、糞採取後採取具が汚れ、そのため洗う必要が有る等の問題があり、より使い勝手のよい、汚れにくい糞取具が必要とされている。【解決手段】厚さ０．５ｍｍから２０ｍｍで長さが５ｃｍから３０ｃｍである略Ｕ字状の半円筒状構造物であって、その半円筒状構造物のＵ字状開放部の略直線状両端部を繋ぐように連結具が取り付けられていることを特徴とする糞取具を、提供する。【選択図】  図１
2008212038.tif 000002
【特許請求の範囲】
【請求項１】
厚さ０．５ｍｍから２０ｍｍで長さが５ｃｍから３０ｃｍである略Ｕ字状の半円筒状構造物であって、その半円筒状構造物のＵ字状開放部の略直線状両端部を繋ぐように連結具が取り付けられていることを特徴とする糞取具。
【請求項２】
半円筒状構造物のＵ字状開放部の略直線状両端部を繋ぐように取り付ける連結具の取り付け位置が、略半円筒状構造物の略直線状両端部の中心から一方のＵ字形端部方向に片寄っている事を特徴とする請求項１記載の糞取具。
【請求項３】
半円筒状構造物と半円筒状構造物のＵ字状開放部の略直線状両端部を繋ぐように取り付けた連結具との間に、開口部とその反対側の底部を有する袋を、袋の底部がＵ字状開放部より外側に出かつ袋の開口部が内側になるように取り付け、その袋の開口部を半円筒状構造物のＵ字状開放部の略直線状両端部を覆うようにして外側に折り曲げて使用することを特徴とする請求項１，２記載の糞取具。
【発明の詳細な説明】
【技術分野】
【０００１】
本発明は、犬の糞等の汚物を簡単に確実に除去するための採取具に関するものである。
【背景技術】
【０００２】
従来から犬等の糞の採取具に関しては数々知られており、例えば、特開昭６３−１６９９２３、特開平８−２３８１１、特開２００３−３８０５８、を挙げることが出来る。
【０００３】
【特許文献１】特開昭６３−１６９９２３号公報
【特許文献２】特開平８−２３８１１号公報
【特許文献３】特開２００３−３８０５８号公報
【発明の開示】
【発明が解決しようとする課題】
【０００４】
しかし、これら従来の糞の採取具は、糞採取後採取具が汚れ、そのため洗う必要が有る等の問題があり、より使い勝手のよい、汚れにくい糞取具が必要とされている。
本発明はこのような従来の採取具の問題点に鑑みて発明された物であり、犬等の糞の後始末が簡単で、糞の採取後採取具が汚れずにすみ、洗う必要がいらない糞取具を提供することにある。
【課題を解決するための手段】
【０００５】
本発明は、請求項１に記載のように、厚さ０．５ｍｍから２０ｍｍで長さが５ｃｍから３０ｃｍである略Ｕ字状の半円筒状構造物であって、その半円筒状構造物のＵ字状開放部の略直線状両端部を繋ぐように連結具が取り付けられていることを特徴とする糞取具、である。
【０００６】
また本発明は、請求項２に記載のように、半円筒状構造物のＵ字状開放部の略直線状両端部を繋ぐように取り付ける連結具の取り付け位置が、略半円筒状構造物の略直線状両端部の中心から一方のＵ字形端部方向に片寄っている事を特徴とする請求項１記載の糞取具、である。
【０００７】
更に本発明は、請求項３記載のように、半円筒状構造物と半円筒状構造物のＵ字状開放部の略直線状両端部を繋ぐように取り付けた連結具との間に、開口部とその反対側の底部を有する袋を、袋の底部がＵ字状開放部より外側に出かつ袋の開口部が内側になるように取り付け、その袋の開口部を半円筒状構造物のＵ字状開放部の略直線状両端部を覆うようにして外側に折り曲げて使用することを特徴とする請求項１，２記載の糞取具、である。
【０００８】
本発明の糞取具は、糞等の汚物であれば特に汚れ対象物を限定せずに用いることができるが、犬や猫あるいは鳥類等のペットや家畜等の糞の処理に好ましく用いることができ、特に犬や猫の糞の処理に好ましく用いることができる。
【０００９】
本発明の略Ｕ字状の半円筒状構造物は、糞取り操作性の観点から、厚さ０．５ｍｍから２０ｍｍで長さが５ｃｍから３０ｃｍであることが必要とされ、好ましくは厚さが０．７ｍｍから１５ｍｍで長さが７ｃｍから２５ｃｍである。
【００１０】
ここで略Ｕ字状とは、例えば筒状の構造物を縦方向に切断した状態に類した形状を言い、この略Ｕ字形状はＶ字状でもコ字状でも良いが、糞取り操作性の観点からＵ字状が好ましい。
【００１１】
略直線状両端部とは、例えば筒状の構造物を縦方向に切断した際に形成される縦方向の切断面、つまり並行する２本の直線状の切断面を言う。
【００１２】
半円筒状構造物には弾性を有する基材が好ましく用いられ、鉄やアルミ、銅等の金属の薄板や、塩化ビニール、ポリプロピレン、ＡＢＳ、テフロン（登録商標）等のプラスチックあるいはＦＲＰ等の複合材料を例示することができる。
【００１３】
半円筒状構造物は前述した基材を単独あるいは複数組み合わせて製造されていても良く、また操作性を良くするために半円筒状構造物の一部分が切断除去されていても良い。
例えば、糞を見ながら確実に採取できるように半円筒状構造物の一部分をカットしてもよい。
【００１４】
半円筒状構造物はパイプ等の円筒状構造物から切り出して成形しても良く、平板から半円筒状に成形しても良く、金型等に樹脂や金属等を流し込んで成形しても良く、それらの方法を組み合わせて成形しても良い。
【００１５】
本発明の糞取具は、その半円筒状構造物のＵ字状開放部の略直線状両端部を繋ぐように連結具が取り付けられていることが必要とされる。連結具の材質や形状は特に限定はないが、材質としては鉄やアルミ、銅等の金属や、塩化ビニール、ポリプロピレン、ポリエチレン、ナイロン、テフロン（登録商標）等の合成高分子あるいは綿、麻等を例示することができ、形状としてはロープ状、鎖状、紐状、板状、帯状等が例示できる。
【００１６】
連結具の長さは、糞取り操作性の観点から、Ｕ字状開放部の略直線状両端部間の長さ程度が好ましい。
【００１７】
連結具は、半円筒状構造物のＵ字状開放部の略直線状両端部に、穴を開けて取り付けても良く、接着剤等で接着して取り付けても良く、ビスやピン等で取り付けても良い。
【００１８】
また、連結具取り付け位置は、略半円筒状構造物の略直線状両端部の中心部から一方のＵ字形端部方向に片寄っていると好ましく、略半円筒状構造物の略直線状両端部のＵ字形端部から３分の１以内に有ると好ましく、更にＵ字形端部に隣接しているとより好ましい。
ここでＵ字形端部とは例えば筒状の構造物を縦方向に切断し、その後横方向に切断した際に形成される略Ｕ字形の切断面を言う。
【００１９】
連結具取り付け位置は、Ｕ字状開放部の略直線状両端部に近い位置が好ましい。
本発明の糞取具は半円筒状構造物と半円筒状構造物のＵ字状開放部の略直線状両端部を繋ぐように取り付けた連結具との間に、開口部とその反対側の底部を有する袋を、袋の底部がＵ字状開放部より外側に出かつ袋の開口部が内側になるように取り付け、その袋の開口部を半円筒状構造物のＵ字状開放部の略直線状両端部を覆うようにして外側に折り曲げて使用することを特徴とする。
【００２０】
ここで袋としては、開口部とその反対側の底部を有する袋をいい、袋であれば特に限定無く使用することができるが、例えば袋の材質は紙や合成フイルムやプラスチックが例示できる。取り扱いやすさの観点からポリ袋や紙袋が好ましい。また、袋の大きさは特に限定はないが、袋の開口部の大きさは、本発明の糞取具である半円筒状構造物のＵ字状開放部の略直線状両端部を覆うようにして外側に折り曲げて使用するため、半円筒状構造物と半円筒状構造物のＵ字状開放部の略直線状両端部を覆うようにして外側に折り曲げることが可能な大きさ以上であればよい。
【００２１】
本発明の糞取具を用いての犬等の糞の採取方法は、例えば以下のように例示することができる。
【００２２】
先ず、本発明の半円筒状構造物と半円筒状構造物のＵ字状開放部の略直線状両端部を繋ぐように取り付けた連結具との間に、開口部とその反対側の底部を有する袋を、袋の底部がＵ字状開放部より外側に出かつ袋の開口部が内側になるように取り付け、その袋の開口部を半円筒状構造物のＵ字状開放部の略直線状両端部を覆うようにして外側に折り曲げる。次いで、半円筒状構造物のＵ字状開放部の略直線状両端部を覆うようにして外側に折り曲げた袋の開口部とそれに接する半円筒状構造物の略直線状両端部近傍を、Ｕ字状開放部の反対側から片手または両手の指で保持し、その保持状態のままでＵ字状開放部を糞の上に被せ、半円筒状構造物のＵ字状開放部の略直線両端部を指で圧して押さえて糞を包み込む。次いで、糞を包み込んだままＵ字状開放部を上に向け、糞が袋の中を半円筒状構造物と半円筒状構造物のＵ字状開放部の略直線両端部を繋ぐように取り付けた連結具の間を通って袋の底部に達するように移動させる。その後、本発明の半円筒状構造物の外側に出ている袋の底部近傍を手で保持し、Ｕ字状開放部との反対側から保持していた指の力をゆるめて、袋を半円筒状構造物から引き抜いて分離させる。その後、袋と袋中の糞は適宜処理する。
ここで連結具は半円筒状構造物に装着した袋を半円筒状構造物に接して保持して垂れ下がらないようにする機能と、採取後の糞が袋の中を半円筒状構造物と半円筒状構造物のＵ字状開放部の両端部を繋ぐように取り付けた連結具の間を通って袋の底部にスムースに移動させる機能を有し、その結果、糞採取操作性が著しく向上する。
こ  うすることにより、糞採取具である半円筒状構造物本体を汚さずに糞を袋中に採取することができ、採取具が汚れずにすみ、洗う必要がなくなる。
【発明の効果】
【００２３】
本発明の糞取具は、糞を目で確認しながら採取し、しかも手も糞取具も汚さずに片手で簡単に取り除くことができる。
【発明を実施するための最良の形態】
【００２４】
本発明の実施の様態の例を、図を用いて説明する。
【００２５】
ＦＲＰ又はプラスチック等の板を、図１、２のようにアーチ状に曲げ、曲げた板を切り抜いて半円筒状構造物２を作成する。次いで図１、２のように連結具４を付ける。連結具４はＦＲＰ又はプラスチック形板の広がりを防ぐためと、装着した袋１１が下へぶら下がるのを防ぐ役割を有する。
【００２６】
プラスチックを丸めた板の上部を図１，２の半円筒状構造物２ように切り込み７を入れる理由は、犬等の糞１１をつかむ時に糞を確認するための窓７の役割と、プラスチックの反発を調整するための切り込みである。
【００２７】
本発明の糞取具の使用方法の例を説明する。
【００２８】
先ず、本発明の半円筒状構造物２と半円筒状構造物のＵ字状開放部３の略直線状両端部４を繋ぐように取り付けた連結具５との間に、開口部９とその反対側の底部１０を有する袋８を、袋の底部１０がＵ字状開放部３より外側に出かつ袋の開口部９が内側になるように取り付け、その袋の開口部９を半円筒状構造物のＵ字状開放部の略直線状両端部４を覆うようにして外側に折り曲げる。次いで、半円筒状構造物のＵ字状開放部の略直線状両端部４を覆うようにして外側に折り曲げた袋の開口部９とそれに接する半円筒状構造物の略直線状両端部４近傍を、Ｕ字状開放部と反対の側から片手１２または両手の指１３で保持し、その保持状態のままでＵ字状開放部を糞１１の上に被せ、半円筒状構造物２のＵ字状開放部の略直線両端部４を指で圧して押さえて糞１１を包み込む。次いで、糞１１を包み込んだままＵ字状開放部３を上に向け、糞が袋１１の中を半円筒状構造物２と半円筒状構造物のＵ字状開放部の略直線両端部４を繋ぐように取り付けた連結具５の間を通って袋の底部１０に達するように移動させる。
【００２９】
その後、本発明の半円筒状構造物の外側に出ている袋の底部１０近傍を手で保持し、Ｕ字状開放部との反対側から保持していた指１３の力をゆるめて、袋を半円筒状構造物２から引き抜いて分離させる。
【００３０】
その後、袋８と袋中の糞は適宜処理する。
【００３１】
糞取具１にビニール袋８を取り付けた状態図４で犬１等の糞２を挟んで持ち上げることで、犬の糞がビニール袋にすべりこませる。１度で挟み取れなくても何度も取り直しができる。
【００３２】
糞取具に取り付ける連結具５である紐やベルトや棒状の物や板状を取り付ける位置は、図１，２に示すような位置が例示できる、多少の上下、左右の違いがあってもよい。
【産業上の利用可能性】
【００３３】
本発明は犬の糞取等の汚物を簡単に確実に除去するための採取具に関するものである。
【図面の簡単な説明】
【００３４】
【図１】は本発明の糞取具の斜視図である。
【図２】は本発明の糞取具の平面図である。
【図３】は袋である。
【図４】は本発明の糞取具で糞を掴もうとしている図である。
【図５】は本発明の糞取具に袋を取り付けた時の斜視図である。
【符号の説明】
【００３５】
１，糞取具
２，半円筒状構造物
３，Ｕ字状開放状部
４，略直線状端部
５，連結具
６，Ｕ字形端部
７，糞確認部
８，袋
９，袋の開口部
１０，袋の底部
１１，糞
１２，手
１３，指
【図１】
2008212038.tif 000003
【図２】
2008212038.tif 000004
【図３】
2008212038.tif 000005
【図４】
2008212038.tif 000006
【図５】
2008212038.tif 000007